(57)【要約】      （修正有）【課題】飲料の販売時間を短縮可能な飲料供給装置を提供する。【解決手段】原料を収容する原料容器２０と、希釈水を収容する希釈水タンク２１’と、原料及び希釈水を混合するミキシングボール３０と、原料をミキシングボールに吐出する原料吐出部２１と、希釈水を、一杯の飲料に使用される希釈水の量のうちの第１の量だけミキシングボールに吐出する第１希釈水吐出部２１’と、カップ内で混合液を希釈して飲料を調理するべく、希釈水を、一杯の飲料に使用される希釈水の量から第１の量を差し引いた第２の量だけカップに吐出する第２希釈水吐出部２２’と、原料吐出部及び第１希釈水吐出部がそれぞれ原料及び希釈水の吐出を始めてから、混合液が全てカップに移るまでの時間帯と、第２希釈水吐出部が希釈水を吐出する時間帯と、の少なくとも一部が重複するように制御する制御部と、を備えてなる飲料供給装置。【選択図】図１
2009136460.tif 000002
【特許請求の範囲】
【請求項１】
飲料の原料を収容する原料容器と、
前記原料を希釈するための希釈水を収容する希釈水タンクと、
前記原料容器の原料及び前記希釈水タンクの希釈水を混合するミキシングボールと、
前記原料容器の原料を前記ミキシングボールに吐出する原料吐出部と、
前記希釈水タンクの希釈水を、一杯の前記飲料に使用される希釈水の量のうちの第１の量だけ前記ミキシングボールに吐出する第１希釈水吐出部と、
カップ内で前記ミキシングボールから吐出される混合液を希釈して前記飲料を調理するべく、前記希釈水タンクの希釈水を、一杯の前記飲料に使用される希釈水の量から前記第１の量を差し引いた第２の量だけカップに吐出する第２希釈水吐出部と、
前記原料吐出部及び前記第１希釈水吐出部がそれぞれ原料及び希釈水の吐出を始めてから、前記混合液が全てカップに移るまでの時間帯と、前記第２希釈水吐出部が希釈水を吐出する時間帯と、の少なくとも一部が重複するように制御する制御部と、
を備えたことを特徴とする飲料供給装置。
【請求項２】
前記制御部は、
前記原料吐出部及び前記第１希釈水吐出部がそれぞれ原料及び希釈水の吐出を始めてから、前記混合液が全てカップに移るまでの時間帯と、前記第２希釈水吐出部が希釈水を吐出する時間帯と、の一方が他方に含まれるように制御する、
ことを特徴とする請求項１に記載の飲料供給装置。
【請求項３】
前記ミキシングボール内の混合液を攪拌する攪拌機構、
を更に備えたことを特徴とする請求項１又は２に記載の飲料供給装置。
【発明の詳細な説明】
【技術分野】
【０００１】
本発明は、飲料供給装置に関する。
【背景技術】
【０００２】
原料を希釈水で希釈した飲料をカップに供給する飲料供給装置が知られている。この飲料供給装置は、例えば、原料を収容する原料容器と、希釈水を収容する希釈水タンクと、原料容器からの原料及び希釈水タンクからの希釈水を混合するミキシングボールとを備え、ミキシングボール内の混合液を飲料としてカップに供給するようになっている（例えば、特許文献１及び特許文献２参照）。例えば、原料容器及び希釈水タンクからミキシングボールに原料及び希釈水がともに吐出されると、これらはミキシングボール内で混合されて、その混合液が飲料としてミキシングボールからカップに吐出される。
【特許文献１】特開平１１−１２６２７５号公報
【特許文献２】特許第３７４１８３５号公報
【発明の開示】
【発明が解決しようとする課題】
【０００３】
ところで、前述した特許文献１に開示された飲料供給装置においては、飲料の調理に際して原料と混合される希釈水は必ずミキシングボールを通過するため、飲料の販売時間はその分だけ長くなる。また、前述した特許文献２に開示された飲料供給装置においても、お茶に使用される概ねの高温水は茶漉しを通過する一方、このようにして調理されたお茶の濃度や温度等を少し下げるために、茶漉しを通過しない低温水を若干添加するものであるため、お茶の調理時間は依然として短縮されるものではない。
【０００４】
本発明はかかる課題に鑑みてなされたものであり、その目的とするところは、ミキシングボールを用いて飲料を調理する飲料供給装置における当該飲料の販売時間を短縮することにある。
【課題を解決するための手段】
【０００５】
前記課題を解決するための発明は、飲料の原料を収容する原料容器と、前記原料を希釈するための希釈水を収容する希釈水タンクと、前記原料容器の原料及び前記希釈水タンクの希釈水を混合するミキシングボールと、前記原料容器の原料を前記ミキシングボールに吐出する原料吐出部と、前記希釈水タンクの希釈水を、一杯の前記飲料に使用される希釈水の量のうちの第１の量だけ前記ミキシングボールに吐出する第１希釈水吐出部と、カップ内で前記ミキシングボールから吐出される混合液を希釈して前記飲料を調理するべく、前記希釈水タンクの希釈水を、一杯の前記飲料に使用される希釈水の量から前記第１の量を差し引いた第２の量だけカップに吐出する第２希釈水吐出部と、前記原料吐出部及び前記第１希釈水吐出部がそれぞれ原料及び希釈水の吐出を始めてから、前記混合液が全てカップに移るまでの時間帯と、前記第２希釈水吐出部が希釈水を吐出する時間帯と、の少なくとも一部が重複するように制御する制御部と、を備えてなる飲料供給装置である。
【０００６】
この飲料供給装置では、一杯の飲料に使用される希釈水の量が第１の量と第２の量とに分けられて、第１の量に係る混合液の調理及びそのカップへの供給のための時間帯と、第２の量に係る希釈水を直接カップへ供給するための時間帯とが一部重複するように制御される。よって、飲料に使用される希釈水のうちの予め定められた概ねの量の希釈水をミキシングボールに通す場合に比べて、前記一部重複する分だけ販売時間を短縮できる。また、第１の量が該当の希釈水と原料とを混合するのに十分な量に設定されていれば、ミキシングボール内で十分に混合された混合液をカップ内で第２の量の希釈水で希釈して得た飲料は、例えばミキシングボール内で最初から全量の希釈水と原料とを十分に混合する場合と同様の品質（例えば味等）の飲料となり得る。更に、飲料に応じて前記２つの時間帯の重複の大きさやタイミング等を変えて設定できるため、飲料に応じてその品質を維持し易くなる。以上から、飲料の品質を維持しつつその販売時間を短縮できる。
【０００７】
また、かかる飲料供給装置において、前記制御部は、前記原料吐出部及び前記第１希釈水吐出部がそれぞれ原料及び希釈水の吐出を始めてから、前記混合液が全てカップに移るまでの時間帯と、前記第２希釈水吐出部が希釈水を吐出する時間帯と、の一方が他方に含まれるように制御する、ことが好ましい。  
この飲料供給装置によれば、ミキシングボールにおいて混合液が調理されその全てがカップに移される間（時間帯Ａ）にカップに希釈水が吐出される（時間帯Ｂ）。もし時間帯Ａよりも時間帯Ｂが短い場合、時間帯Ａに対する時間帯Ｂのタイミングが調整可能となるため、飲料に応じてその品質を維持し易い。或いは、カップに希釈水が吐出される間（時間帯Ｂ）にミキシングボールにおいて混合液が調理されその全てがカップに移される（時間帯Ａ）。もし時間帯Ｂよりも時間帯Ａが短い場合、時間帯Ｂに対する時間帯Ａのタイミングが調整可能となるため、飲料に応じてその品質を維持し易い。また、前記何れの場合も、飲料の販売時間はより一層短縮される。
【０００８】
また、かかる飲料供給装置において、前記ミキシングボール内の混合液を攪拌する攪拌機構、を更に備えたことが好ましい。  
これにより、希釈水が全量より少ない第１の量であっても、所定時間内で原料と確実に均一に混合できる。
【発明の効果】
【０００９】
ミキシングボールを用いて飲料を調理する飲料供給装置における当該飲料の販売時間を短縮できる。
【発明を実施するための最良の形態】
【００１０】
===飲料供給装置の構成例===
図１及び図２を参照しつつ、本実施の形態の飲料供給装置１の構成例について説明する。尚、図１は、本実施の形態の飲料供給装置１の構成例を示す模式図であり、図２は、本実施の形態の飲料供給装置１の制御を司る構成例を示すブロック図である。
【００１１】
図１に例示されるように、本実施の形態の飲料供給装置１は、飲料の原料を収容するキャニスタ（原料容器）１０と、原料を希釈するための温水（希釈水）を収容するタンク（希釈水タンク）２０と、キャニスタ１０の原料及びタンク２０の温水を混合するミキシングボール３０と、キャニスタ１０の原料をミキシングボール３０に吐出するためのスクリュー（不図示、原料吐出部）を駆動する原料モータ（原料吐出部）１１と、タンク２０の温水をミキシングボール３０に吐出するための電磁弁２１（第１希釈水吐出部）と、タンク２０の温水をカップに吐出するための電磁弁２２（第２希釈水吐出部）と、を備えている。
【００１２】
尚、同図に例示されるように、タンク２０に接続されている配管は、ミキシングボール３０に温水を吐出するための配管２３と、カップに温水を吐出するための配管２４と、に分かれており、配管２３の途中に電磁弁２１が設けられ、配管２４の途中に電磁弁２２が設けられている。
【００１３】
また、ミキシングボール３０には、攪拌用の羽根（不図示、攪拌機構）を回転させるための攪拌モータ（攪拌機構）３１が設けられており、攪拌により得られた混合液をカップに吐出するための配管３３の途中には電磁弁３２が設けられている。但し、このような構成に限定されるものではなく、例えば、ミキシングボール３０及び羽根の形状等が、当該羽根が回転している間は水流によって混合液が配管３３に流れないように構成されていてもよい。この場合、配管３３に電磁弁３２が設けられていなくてもよく、タンク２０から配管２３を通じて温水がミキシングボール３０に吐出されると同時に羽根の回転が開始し、羽根が回転している間は混合液がミキシングボール３０内に保持され、羽根の回転が停止すると同時に配管３３を通じて混合液の吐出が開始することになる。
【００１４】
更に、同図の例示では、飲料供給装置１は、原料を希釈するための冷水（希釈水）を収容するタンク２０’と、タンク２０’の冷水をミキシングボール３０に吐出するための電磁弁２１’（第１希釈水吐出部）と、タンク２０の温水をカップに吐出するための電磁弁２２’（第２希釈水吐出部）と、を備えている。また、タンク２０’に接続されている配管は、ミキシングボール３０に冷水を吐出するための配管２３’と、カップに冷水を吐出するための配管２４’と、に分かれており、配管２３’の途中に電磁弁２１’が設けられ、配管２４’の途中に電磁弁２２’が設けられている。但し、このような構成に限定されるものではなく、飲料供給装置１は、例えば、温水又は冷水の何れか一方のみを用いるように構成されていてもよい。
【００１５】
図２に例示されるように、本実施の形態の飲料供給装置１は、制御部１００を備えており、この制御部１００が前述した原料モータ１１、攪拌モータ３１、電磁弁２１、２１’、２２、２２’、３２を制御するようになっている。
【００１６】
また、制御部１００は、後述する、原料モータ１１の駆動時間Ａを計時するタイマ１０１、例えば電磁弁２１、２１’の駆動時間Ｂ等を計時するタイマ１０２、攪拌モータ３１の駆動時間Ｃを計時するタイマ１０３、電磁弁２２、２２’の駆動時間Ｄを計時するタイマ１０４を制御するものである。
【００１７】
更に、制御部１００は、ＲＯＭ１０５、ＲＡＭ１０６、及びコントローラ１０７を制御するものである。ここで、ＲＯＭ１０５は、制御部１００が後述する処理を実行するためのプログラム等を記憶し、ＲＡＭ１０６は、制御部１００が後述する処理を実行する際に使用する各種データを記憶するものである。コントローラ１０７は、これらの各種データを設定するためのキーボードやディスプレイ等（不図示）を備えているとともに、制御部１００に後述する時間短縮された飲料販売モード（以後、「スピード優先モード」と称する）の処理を実行させるために管理者等が予め設定するためのスピード優先釦１０７ａを備えている。
【００１８】
===飲料供給装置の動作例===
図３及び図４を参照しつつ、前述した構成を備えた飲料供給装置１の動作例について説明する。尚、図３は、本実施の形態の飲料供給装置１がスピード優先モードで飲料販売する際の各部の駆動時間を示す時間ダイアグラムであり、図４は、本実施の形態の飲料供給装置１が通常モードで飲料販売する際の各部の駆動時間を示す時間ダイアグラムである。
【００１９】
以後、温水及び冷水を希釈水と総称し、電磁弁２１及び電磁弁２１’を電磁弁Ｘと総称し、電磁弁２２、２２’を電磁弁Ｙと総称し、電磁弁３２を電磁弁Ｚと略称する。本実施の形態では、ホット飲料販売の際には、タンク２０が使用されるとともに電磁弁２１、２２が駆動され、コールド飲料販売の際には、タンク２０’が使用されるとともに電磁弁２１’、２２’が駆動されるようになっている。
【００２０】
<<<スピード優先モード>>>
管理者等は、コントローラ１０７のスピード優先釦１０７ａを通じて、飲料供給装置１がスピード優先モードで飲料を販売するように予め設定しているものとする。例えば、飲料供給装置１の設置場所で利用者が多く見込めるような時期には、管理者は、飲料販売時間を短縮する設定を予め行なっておく。
【００２１】
図３に例示されるように、飲料販売時には、制御部１００は、原料モータ１１と、電磁弁Ｘと、攪拌モータ３１との駆動を同時に開始する。制御部１００により制御されて、タイマ１０１は原料モータ１１の駆動時間（回転時間）を計時し、タイマ１０２は電磁弁Ｘの駆動時間（開時間）を計時し、タイマ１０３は攪拌モータ３１の駆動時間（回転時間）を計時するようになっている。
【００２２】
ミキシングボール３０に対し、原料が時間Ａだけ吐出され、希釈水が時間Ｂだけ吐出される。同図の例示では、ミキシングボール３０に希釈水が吐出されている間に原料の吐出が終了し、希釈水の吐出が終了してから攪拌が終了する（時間Ａ＜時間Ｂ＜時間Ｃ）。但し、これに限定されるものではなく、例えば、希釈水の吐出が終了すると同時に原料の吐出が終了するようになっていてもよいし（時間Ａ＝時間Ｂ）、希釈水の吐出が終了すると同時に攪拌が終了するようになっていてもよい（時間Ｂ＝時間Ｃ）。
【００２３】
次に、制御部１００は、攪拌モータ３１の駆動を停止すると同時に電磁弁Ｚの駆動を開始する。制御部１００により制御されて、タイマ１０２は電磁弁Ｚの駆動時間（開時間）を計時するようになっている。本実施の形態では、ミキシングボール３０で混合された原料及び希釈水の混合液は、時間Ｂだけカップに吐出される。つまり、ミキシングボール３０に希釈水が吐出された時間と同じ時間で混合液がカップに吐出される。
【００２４】
一方、制御部１００は、前述した原料モータ１１と、電磁弁Ｘと、攪拌モータ３１との駆動を開始してから、前述した電磁弁Ｚの駆動を終了するまでの時間帯に、電磁弁Ｙを所定時間だけ駆動する。
【００２５】
具体的には、電磁弁Ｙを駆動する時間帯としては、同図に例示されるＤ１、Ｄ２、Ｄ３が挙げられる。即ち、原料モータ１１と、電磁弁Ｘと、攪拌モータ３１との駆動を開始すると同時に電磁弁Ｙの駆動を開始するような時間帯Ｄ１（駆動終了時刻ｔｄ１）であってもよいし、或いは、電磁弁Ｚの駆動を終了すると同時に電磁弁Ｙの駆動を終了するような時間帯Ｄ３（駆動終了時刻ｔｄ３＝電磁弁Ｚの駆動終了時刻ｔ（ｂ＋ｃ））であってもよいし、或いは、Ｄ１及びＤ３の間の時間帯Ｄ２（ｔｄ１＜駆動終了時刻ｔｄ２＜ｔｄ３）であってもよい。何れの場合も、時間Ｄ１、時間Ｄ２、及び時間Ｄ３は、全て同じ時間Ｄである（時間Ｄ１＝時間Ｄ２＝時間Ｄ３＝時間Ｄ）。尚、時間帯が例えばＤ１、Ｄ２、Ｄ３の何れであるかは、飲料の味に影響を与え得るため、本実施の形態では、飲料の種類やそこで設定しようとする味等に応じて、コントローラ１０７を通じて、電磁弁Ｙの駆動時間帯が予め設定されるようになっている。つまり、電磁弁Ｙの駆動開始時刻や駆動終了時刻等がコントローラ１０７を通じて入力可能となっており、入力された情報はＲＡＭ１０６に記憶される。
【００２６】
前述した、原料モータ１１の駆動時間は、キャニスタ１０から吐出される原料の量に比例し、電磁弁Ｘ、Ｙの駆動時間は、タンク２０、２０’から吐出される希釈水の量に比例し、電磁弁Ｚの駆動時間は、ミキシングボール３０から吐出される混合液の量に比例する。本実施の形態では、前述した時間Ｂ及び時間Ｄの合計時間（Ｂ＋Ｄ）は、一杯の飲料に使用される希釈水の全量に比例し、時間Ｂは、全量のうちのミキシングボール３０に吐出される量（第1の量）に比例し、時間Ｄは、全量のうちのカップに吐出される量（第２の量）に比例する。例えば、配管２３及び配管２４（又は配管２３’及び配管２４’）が同じコンダクタンスを有している場合、時間Ｂ及び時間Ｄの比率が、第１の量及び第２の量の比率に等しくなる。そこで、本実施の形態における時間Ｂ及び時間Ｄの比率は、ミキシングボール３０において希釈水と原料とが時間Ｃの攪拌により十分に混合し、更にカップにおいて希釈液と混合液とが攪拌なしで十分に混合するような値に予め設定されている。
【００２７】
尚、前述したように、配管３３に電磁弁３２が設けられていない構成の場合、ミキシングボール３０の羽根（不図示）の回転が停止すると同時に配管３３を通じて混合液の吐出が開始され、電磁弁Ｘの駆動時間と同じ時間Ｂをもって混合液が自然落下によりカップに吐出されるものとする。
【００２８】
<<<通常モード>>>
管理者等は、コントローラ１０７を通じて、飲料供給装置１が希釈水をカップに直接吐出しない通常モードで飲料を販売するように予め設定しているものとする。
【００２９】
図４に例示されるように、飲料販売時には、制御部１００は、原料モータ１１と、電磁弁Ｘと、攪拌モータ３１との駆動を同時に開始する。制御部１００により制御されて、タイマ１０１は原料モータ１１の駆動時間（回転時間）を計時し、タイマ１０２は電磁弁Ｘの駆動時間（開時間）を計時し、タイマ１０３は攪拌モータ３１の駆動時間（回転時間）を計時するようになっている。
【００３０】
ミキシングボール３０に対し、原料が時間Ａだけ吐出され、希釈水が時間（Ｂ＋Ｄ）だけ吐出される。前述したように、時間Ｂ及び時間Ｄの合計時間（Ｂ＋Ｄ）は、一杯の飲料に使用される希釈水の全量に比例する。同図の例示では、ミキシングボール３０に希釈水が吐出されている間に原料の吐出が終了し、希釈水の吐出が終了してから攪拌が終了する（時間Ａ＜時間（Ｂ＋Ｄ）＜時間Ｃ’）。但し、これに限定されるものではなく、例えば、希釈水の吐出が終了すると同時に原料の吐出が終了するようになっていてもよいし（時間Ａ＝時間（Ｂ＋Ｄ））、希釈水の吐出が終了すると同時に攪拌が終了するようになっていてもよい（時間（Ｂ＋Ｄ）＝時間Ｃ’）。
【００３１】
次に、制御部１００は、攪拌モータ３１の駆動を停止すると同時に電磁弁Ｚの駆動を開始する。制御部１００により制御されて、タイマ１０２は電磁弁Ｚの駆動時間（開時間）を計時するようになっている。本実施の形態では、ミキシングボール３０で混合された原料及び希釈水の混合液は、時間（Ｂ＋Ｄ）だけカップに吐出される。つまり、ミキシングボール３０に希釈水が吐出された時間と同じ時間で混合液が自然落下によりカップに吐出される。
【００３２】
尚、前述したように、配管３３に電磁弁３２が設けられていない構成の場合、ミキシングボール３０の羽根（不図示）の回転が停止すると同時に配管３３を通じて混合液の吐出が開始され、電磁弁Ｘの駆動時間と同じ時間（Ｂ＋Ｄ）をもって混合液がカップに自然に吐出されるものとする。
【００３３】
例えば、飲料によってはその味を所定のレベルに維持するためには、たとえ時間がかかっても通常モードで販売する方が好ましい場合がある。そこで、飲料供給装置１の設置場所で利用者が前述したほどの数を見込めない時期には、管理者は、味の方を優先させて、飲料販売時間を短縮しない設定を予め行なっておく。
【００３４】
===販売時間の短縮===
本実施の形態の飲料供給装置１は、少なくとも、キャニスタ１０と、タンク２０（又はタンク２０’）と、ミキシングボール３０と、原料モータ１１と、電磁弁Ｘと、電磁弁Ｙと、原料モータ１１及び電磁弁Ｘによりそれぞれ原料及び希釈水の吐出が開始されてからミキシングボール３０の混合液が全てカップに移るまでの時間帯と、電磁弁Ｙにより希釈水が吐出される時間帯と、の少なくとも一部が重複するように制御する制御部１００と、を備えていればよい。この飲料供給装置１では、一杯の飲料に使用される希釈水の量が第１の量と第２の量とに分けられて、第１の量に係る混合液の調理及びそのカップへの供給のための時間帯と、第２の量に係る希釈水を直接カップへ供給するための時間帯とが一部重複するように制御される。よって、飲料に使用される希釈水のうちの予め定められた概ねの量の希釈水をミキシングボール３０に通す場合に比べて、前記一部重複する分だけ販売時間を短縮できる。また、第１の量が該当の希釈水と原料とを混合するのに十分な量に設定されていれば、ミキシングボール３０内で十分に混合された混合液をカップ内で第２の量の希釈水で希釈して得た飲料は、例えばミキシングボール３０内で最初から全量の希釈水と原料とを十分に混合する場合と同様の品質（例えば味等）の飲料となり得る。更に、飲料に応じて前記２つの時間帯の重複の大きさやタイミング等を変えて設定できるため、飲料に応じてその品質を維持し易くなる。以上から、飲料の品質を維持しつつその販売時間を短縮できる。
【００３５】
また、本実施の形態の飲料供給装置１では、制御部１００は、原料モータ１１及び電磁弁Ｘによりそれぞれ原料及び希釈水の吐出が開始されてからミキシングボール３０の混合液が全てカップに移るまでの時間帯（図３の（Ｃ＋Ｂ））が、電磁弁Ｙにより希釈水が吐出される時間帯（図３のＤ１、Ｄ２、又はＤ３）を含むように制御している。これにより、飲料の販売時間がより一層短縮される。また、この場合、前者の時間帯に対する後者の時間帯のタイミングが調整可能となる。つまり、時間帯（Ｃ＋Ｂ）に対し、時間帯Ｄ１を設定してもよいし、或いは時間帯Ｄ２を設定してもよいし、或いは時間帯Ｄ３を設定してもよい。このタイミングは、飲料の品質を維持するべく選択できる。
【００３６】
或いは、図５に例示されるように、制御部１００は、電磁弁Ｙにより希釈水が吐出される時間帯（Ｄ３、Ｄ４、又はＤ５）が、原料モータ１１及び電磁弁Ｘによりそれぞれ原料及び希釈水の吐出が開始されてからミキシングボール３０の混合液が全てカップに移るまでの時間帯（Ｃ”＋Ｂ”）を含むように制御してもよい。同図は、本実施の形態の飲料供給装置１がスピード優先モードで飲料販売する際の各部の駆動時間を示すもう一つの時間ダイアグラムである。この場合も、飲料の販売時間がより一層短縮される。また、この場合も、前者の時間帯に対する後者の時間帯のタイミングが調整可能となる。つまり、時間帯（Ｃ”＋Ｂ”）に対し、時間帯Ｄ３を設定してもよいし、或いは時間帯Ｄ４を設定してもよいし、或いは時間帯Ｄ５を設定してもよい。このタイミングは、飲料の品質を維持するべく選択できる。
【００３７】
尚、以上に限定されるものではない。例えば、飲料供給装置１の設置場所に利用者が多く、飲料販売時間の短縮が常時求められている場合、飲料供給装置１は、前述したスピード優先モードのみにより飲料を販売するようになっていてもよい。即ち、コントローラ１０７は、必ずしも、スピード優先モードと通常モードとを切り替えるためのスピード優先釦１０７ａを備えている必要はない。
【００３８】
また、図３の例示において、電磁弁Ｙの駆動時間帯Ｄ１は、攪拌モータ３１の駆動時間帯と一部重なってさえいれば（即ち０＜ｔｄ１でさえあれば）、より早い方向にシフトして設定されていてもよいし、或いは、電磁弁Ｙの駆動時間帯Ｄ３は、電磁弁Ｚの駆動時間帯と一部重なってさえいれば、より遅い方向にシフトして設定されていてもよい（即ちｔ（ｂ＋ｃ）＜ｔｄ３でもよい）。
【００３９】
更に、図５の例示において、電磁弁Ｙの駆動時間帯Ｄ３は、攪拌モータ３１の駆動時間帯と一部重なってさえいれば（即ちｔ０＜ｔ３でさえあれば）、より早い方向にシフトして設定されていてもよいし（即ちｔ３＞ｔ”でもよいし）、或いは、電磁弁Ｙの駆動時間帯Ｄ５は、電磁弁Ｚの駆動時間帯と一部重なってさえいれば、より遅い方向にシフトして設定されていてもよい。
【００４０】
以上の場合でも、飲料の品質を維持しつつ、全ての希釈水をミキシングボール３０に通す場合に比べて、前記一部重複する分だけ販売時間を短縮できる。
【００４１】
また、本実施の形態の飲料供給装置１のミキシングボール３０には、攪拌モータ３１が設けられている。これにより、希釈水が全量より少ない第１の量であっても、所定時間内で原料と確実に均一に混合できる。
【００４２】
尚、これに限定されるものではなく、ミキシングボール３１は、例えば、攪拌モータ３１等の動力源で強制的に攪拌することなく、希釈水の水流によって原料と混合するような形状をなすものであってもよい。
【００４３】
前述した発明の実施の形態は、本発明の理解を容易にするためのものであり、本発明を限定して解釈するためのものではない。本発明は、その趣旨を逸脱することなく変更、改良され得るとともに、本発明にはその等価物も含まれる。  
前述した実施の形態では、原料は、キャニスタ１０から吐出される粉末原料等であったが、これに限定されるものではなく、例えば、所定の容器から吐出される液体原料であってもよい。この場合、液体原料の吐出は、例えば電磁弁の開閉等により行なわれる。
【図面の簡単な説明】
【００４４】
【図１】本実施の形態の飲料供給装置の構成例を示す模式図である。
【図２】本実施の形態の飲料供給装置の制御を司る構成例を示すブロック図である。
【図３】本実施の形態の飲料供給装置がスピード優先モードで飲料販売する際の各部の駆動時間を示す時間ダイアグラムである。
【図４】本実施の形態の飲料供給装置が通常モードで飲料販売する際の各部の駆動時間を示す時間ダイアグラムである。
【図５】本実施の形態の飲料供給装置がスピード優先モードで飲料販売する際の各部の駆動時間を示すもう一つの時間ダイアグラムである。
【符号の説明】
【００４５】
１  飲料供給装置              １０  キャニスタ
１１  原料モータ                ２０、２０’  タンク
２１、２１’、２２、２２’、３２  電磁弁
２３、２３’、２４、２４’、３３  配管
３０  ミキシングボール          ３１  攪拌モータ
１００  制御部                  １０１、１０２、１０３、１０４  タイマ
１０５  ＲＯＭ                  １０６  ＲＡＭ
１０７  コントローラ            １０７ａ  スピード優先釦
【図１】
2009136460.tif 000003
【図２】
2009136460.tif 000004
【図３】
2009136460.tif 000005
【図４】
2009136460.tif 000006
【図５】
2009136460.tif 000007